(57)【要約】【課題】  従来、スタジオ等でストロボ撮影を行う場合、ライブビュー画像の表示と本撮影画像とで色再現が異なるという問題があった。【解決手段】  本発明では、同一の被写体画像に対する第１の撮影中に外部から与えられる撮影指示に応じて第２の撮影を行う撮像手段と、前記撮像手段で撮影する第１の撮影画像に対して第１のホワイトバランス設定値を設定し、前記撮像手段で撮影する第２の撮影画像に対して第２のホワイトバランス設定値を設定するホワイトバランス設定手段と、前記ホワイトバランス処理手段は、前記ホワイトバランス設定手段が設定した設定値を前記第１の撮影画像および前記第２の撮影画像に適用してホワイトバランス処理を行うホワイトバランス処理手段と、前記ホワイトバランス処理手段が処理した画像を表示媒体に表示する表示手段と、前記ホワイトバランス処理手段が処理した画像を記憶媒体に記録する記録手段とを有することを特徴とする。【選択図】図３
2011015199.tif 000002
【特許請求の範囲】
【請求項１】
同一の被写体画像に対する第１の撮影中に外部から与えられる撮影指示に応じて第２の撮影を行う撮像手段と、
前記撮像手段で撮影する第１の撮影画像に対して第１のホワイトバランス設定値を設定し、前記撮像手段で撮影する第２の撮影画像に対して第２のホワイトバランス設定値を設定するホワイトバランス設定手段と、
前記ホワイトバランス処理手段は、前記ホワイトバランス設定手段が設定した設定値を前記第１の撮影画像および前記第２の撮影画像に適用してホワイトバランス処理を行うホワイトバランス処理手段と、
前記ホワイトバランス処理手段が処理した画像を表示媒体に表示する表示手段と、
前記ホワイトバランス処理手段が処理した画像を記憶媒体に記録する記録手段と
を有することを特徴とする電子カメラ。
【請求項２】
請求項１に記載の電子カメラにおいて、
前記第１の撮影画像は被写体の確認用に前記表示媒体に表示するライブビュー画像であり、前記第２の撮影画像は前記記憶媒体に記録する本撮影画像である
ことを特徴とする電子カメラ。
【請求項３】
請求項１に記載の電子カメラにおいて、
前記第１の撮影画像は前記記憶媒体に記録する動画像であり、前記第２の撮影画像は前記記憶媒体に記録する本撮影画像である
ことを特徴とする電子カメラ。
【請求項４】
請求項１から３のいずれか一項に記載の電子カメラにおいて、
特殊撮影モードまたは通常撮影モードを選択する撮影モード選択手段を更に設け、
前記ホワイトバランス設定手段は、通常撮影モードが選択された場合は前記撮像手段で撮影する第１の撮影画像および第２の撮影画像に対して同一のホワイトバランス設定値を設定し、特殊撮影モードが選択された場合は前記撮像手段で撮影する第１の撮影画像に対して第１のホワイトバランス設定値を設定すると共に前記撮像手段で撮影する第２の撮影画像に対して第２のホワイトバランス設定値を設定する
ことを特徴とする電子カメラ。
【請求項５】
請求項１から４のいずれか一項に記載の電子カメラにおいて、
前記第２の撮影時に被写体に対して閃光を発する閃光手段を更に設け、
前記ホワイトバランス設定手段は、前記第２のホワイトバランス設定値を前記閃光手段に適したホワイトバランス設定値に設定する
ことを特徴とする電子カメラ。
【請求項６】
請求項５に記載の電子カメラにおいて、
前記ホワイトバランス設定手段は、第２の撮影時のホワイトバランス設定しかできない場合、前記第２の撮影に前記閃光手段の使用が選択されている時は前記第１の撮影に適用する前記第１のホワイトバランス設定値を第１の撮影画像を解析して自動的にホワイトバランス設定値を設定するオートホワイトバランスで設定する
ことを特徴とする電子カメラ。
【発明の詳細な説明】
【技術分野】
【０００１】
本発明は、電子カメラのホワイトバランス技術に関する。
【背景技術】
【０００２】
一般的な電子カメラには様々な撮影環境に応じてホワイトバランス処理の設定を手動あるいは自動で行えるようになっている。特に撮影構図などを確認するためのライブビュー表示を行う電子カメラでは、本撮影時だけでなくライブビュー画像を撮影して表示する際のホワイトバランス処理も行うようになっている（例えば、特許文献１参照）。
【先行技術文献】
【特許文献】
【０００３】
【特許文献１】特開２００１−３０９２１１号公報
【発明の概要】
【発明が解決しようとする課題】
【０００４】
通常、スタジオ等でストロボ撮影を行う場合、撮影構図の確認やピント合わせはモニタに表示されるライブビュー画像で行っている。ところが、ライブビュー画像の撮影時は主にタングステンランプやハロゲンランプなどによるモデリングライトが用いられ、本撮影画像の撮影時はキセノン管などによるストロボが用いられる。このため、本撮影画像に最適な色温度をストロボ光に合わせた場合、ライブビュー画像は色温度の低いモデリングライトによる照明で撮影されるので赤っぽく表示されてしまうという問題があった。
【０００５】
本発明の目的は、ライブビュー画像の表示中も本撮影時も最適なホワイトバランスで画像を表示または撮影できる電子カメラを提供することである。
【課題を解決するための手段】
【０００６】
本発明に係る電子カメラは、同一の被写体画像に対する第１の撮影中に外部から与えられる撮影指示に応じて第２の撮影を行う撮像手段と、前記撮像手段で撮影する第１の撮影画像に対して第１のホワイトバランス設定値を設定し、前記撮像手段で撮影する第２の撮影画像に対して第２のホワイトバランス設定値を設定するホワイトバランス設定手段と、前記ホワイトバランス処理手段は、前記ホワイトバランス設定手段が設定した設定値を前記第１の撮影画像および前記第２の撮影画像に適用してホワイトバランス処理を行うホワイトバランス処理手段と、前記ホワイトバランス処理手段が処理した画像を表示媒体に表示する表示手段と、前記ホワイトバランス処理手段が処理した画像を記憶媒体に記録する記録手段とを有することを特徴とする。
【０００７】
また、より好ましくは、前記第１の撮影画像は被写体の確認用に前記表示媒体に表示するライブビュー画像であり、前記第２の撮影画像は前記記憶媒体に記録する本撮影画像であることを特徴とする。
【０００８】
また、より好ましくは、前記第１の撮影画像は前記記憶媒体に記録する動画像であり、前記第２の撮影画像は前記記憶媒体に記録する本撮影画像であることを特徴とする。
【０００９】
また、より好ましくは、特殊撮影モードまたは通常撮影モードを選択する撮影モード選択手段を更に設け、前記ホワイトバランス設定手段は、通常撮影モードが選択された場合は前記撮像手段で撮影する第１の撮影画像および第２の撮影画像に対して同一のホワイトバランス設定値を設定し、特殊撮影モードが選択された場合は前記撮像手段で撮影する第１の撮影画像に対して第１のホワイトバランス設定値を設定すると共に前記撮像手段で撮影する第２の撮影画像に対して第２のホワイトバランス設定値を設定することを特徴とする。
【００１０】
また、より好ましくは、前記第２の撮影時に被写体に対して閃光を発する閃光手段を更に設け、前記ホワイトバランス設定手段は、前記第２のホワイトバランス設定値を前記閃光手段に適したホワイトバランス設定値に設定することを特徴とする。
【００１１】
また、より好ましくは、前記ホワイトバランス設定手段は、第２の撮影時のホワイトバランス設定しかできない場合、前記第２の撮影に前記閃光手段の使用が選択されている時は前記第１の撮影に適用する前記第１のホワイトバランス設定値を第１の撮影画像を解析して自動的にホワイトバランス設定値を設定するオートホワイトバランスで設定することを特徴とする。
【発明の効果】
【００１２】
本発明では、ライブビュー画像の表示中も本撮影時も最適なホワイトバランスで画像を表示または撮影することができる。
【図面の簡単な説明】
【００１３】
【図１】実施形態に係る電子カメラ１０１の使用例を示す説明図である。
【図２】実施形態に係る電子カメラ１０１の構成を示すブロック図である。
【図３】実施形態に係る電子カメラ１０１の画像処理回路の構成を示すブロック図である。
【図４】ホワイトバランス設定メニューの画面例を示す説明図である。
【図５】実施形態に係る電子カメラ１０１の撮影時の処理を示すフローチャートである。
【図６】ホワイトバランス設定メニューの画面例を示す説明図である。
【発明を実施するための形態】
【００１４】
以下、本発明に係る電子カメラ１０１に関する実施形態について説明する。本実施形態に係る電子カメラ１０１は、主にスタジオなどでプロのカメラマンが使用する一眼レフカメラである。特に、本実施形態に係る電子カメラ１０１は、「通常撮影モード」の他に「スタジオ撮影モード」を備えており、ライブビュー画像と本撮影画像のそれぞれについてホワイトバランスモードを設定することができる。尚、「スタジオ撮影モード」については後で詳しく説明する。
【００１５】
図１は、電子カメラ１０１の使用例を示した図で、三脚２０１に固定された電子カメラ１０１で机の上の被写体２０２を撮影する様子を描いてある。図１において、ランプハウス２０３および２０４の位置にそれぞれモデリングライト２０３ａおよび２０４ａと、ストロボ２０３ｂおよび２０４ｂとが配置されている。ここで、一般的な写真撮影において、照明は重要な撮影条件で、照明の色温度などによって被写体の印象が全く異なり、特にスタジオでの写真撮影では重要な役割を果たしている。このようなスタジオ撮影では、陰影を調整するために多数の照明機器を用いて被写体を照らすのが一般的で、メインライトやサイドライトなど複数の照明機器が用いられる。このような照明機器には、撮影画角などを調整するためのモデリングライトと呼ばれる白熱電球と、本撮影時に閃光を発する閃光光源（ストロボ）とがあり、モデリングライトと本撮影用のストロボの光軸は、陰影が同じになるように同一光軸の位置に配置される。このような理由から図１の例においても、ランプハウス２０３および２０４の位置にそれぞれモデリングライト２０３ａおよび２０４ａと、ストロボ２０３ｂおよび２０４ｂとが配置されている。そして、ストロボ２０３ｂおよび２０４ｂはケーブル２０５を介して電子カメラ１０１の外部ストロボ接続端子（シンクロターミナル）１１８に接続されている。尚、シンクロターミナル１１８は、電子カメラ１０１のレリーズボタン１１４ａの押下に同期してクローズする単純なＸ接点（シンクロ接点）のみで構成される。また、電子カメラ１０１は、本体装着型ストロボ接続部（ホットシュー）１１７も有しており、ホットシュー１１７に装着されるストロボは、シンクロ接点以外に通信接点も装備されており、ストロボと電子カメラ１０１との間で通信を行うことによって装着されたストロボの機種やガイドナンバーなどの情報を電子カメラ１０１は知ることができ、ストロボの発光量の制御も可能になる。
【００１６】
ところが、このようなスタジオ撮影では、モデリングライトとストロボの色温度が異なるという問題がある。例えば、ストロボ光は一般に太陽光と同じ色温度を持ち、その色温度は５２００〜５５００ケルビン（Ｋ）程度である。一方、モデリングライトで使用されるタングステンなどの白熱電球の光の色温度は３２００Ｋ程度である。このため、カメラマンが電子カメラ１０１の画像表示部１１１に表示されるライブビュー画像で被写体の画角などを確認している時の被写体の色合いと、ストロボで本撮影した本撮影画像の色合いが異なるという問題が生じる。そこで、本実施形態に係る電子カメラ１０１は、ライブビュー画像を表示する時のホワイトバランス処理の第１の色温度設定と、本撮影画像を撮影する時の第２の色温度設定とを設け、適宜切り替えるようにし、本撮影時またはライブビュー表示時のどちらでも正しいホワイトバランスが得られるようになっている。以下、本実施形態に係る電子カメラ１０１について詳しく説明する。
【００１７】
［電子カメラ１０１の全体構成］
図２は各実施形態に共通の電子カメラ１０１の構成を示すブロック図である。電子カメラ１０１は、撮影光学系１０２と、被写体からの光をファインダ１０３ａ（図１参照）側に導く跳ね上げ式のミラー１０３と、メカニカルシャッタ１０４と、撮像素子１０５と、Ａ／Ｄ変換部１０６と、画像処理回路１０７と、画像バッファ１０８と、制御部１０９と、表示回路１１０と、画像表示部１１１と、記憶媒体１１２と、ＴＧ（タイミングジェネレータ）１１３と、操作部材１１４と、操作表示部１１５と、ストロボ制御回路１１６と、ホットシュー１１７と、シンクロターミナル１１８とで構成される。尚、シンクロターミナル１１８には、図１で説明したように、ストロボ２０３ｂ，２０４ｂがケーブル２０５を介して接続されている。
【００１８】
図１において、撮影光学系１０２から入射する被写体光は、通常撮影時はミラー１０３で反射してファインダ１０３ａに投影される。そして、撮影者はファインダ１０３ａを覗いて被写体や撮影構図などを確認し、レリーズボタン１１４ａ（図１参照）が押下されると、制御部１０９はミラー１０３を跳ね上げ、メカニカルシャッタ１０４を所定のシャッター速度で開閉して撮像素子１０５で被写体像を撮影する。尚、ミラー１０３は駆動部を有し、制御部１０９の指令によって跳ね上げ／跳ね下げができる。
【００１９】
撮像素子１０５の受光面には、二次元状にＲＧＢ各色のフォトダイオードが配置されており、フォトダイオードに入射された光量に応じて電気信号に変換し、Ａ／Ｄ変換部１０６に出力する。
【００２０】
Ａ／Ｄ変換部１０６は、撮像素子１０５から出力されるＲＧＢ各色の電気信号をデジタル信号に変換し、１画面分のデジタル信号をＲａｗ形式の画像データ（Ｒａｗデータ）として画像処理回路１０７に出力し、画像データは画像バッファ１０８に一時的に記憶される。尚、Ｒａｗデータとは、撮像素子１０５から読み出した加工されていない光量リニアな生の画像データのことで、例えば撮像素子１０５を構成するベイヤー配列のＲＧＢデータで構成される。
【００２１】
画像処理回路１０７は、画像バッファ１０８に一時的に取り込まれたライブビュー画像や本撮影画像に対して制御部１０９から指示された所定のホワイトバランス処理や画像処理を行う。ここで、ホワイトバランスの種類には、オートホワイトバランス（ＡＷＢ）と、マニュアルホワイトバランス（ＭＷＢ）と、プリセットホワイトバランス（ＰＷＢ）とがある。ここで、各ホワイトバランスの内容について簡単に説明する。
【００２２】
（オートホワイトバランス）
先ず、オートホワイトバランスでは、ユーザーが特にホワイトバランス調整に関する操作を行わず、撮影時に画像バッファ１０８に取り込まれた画像データから自動的に環境光の種類を推定し、推定した環境光に応じたホワイトバランスゲインを求め、画像データに乗算してホワイトバランス調整を行う。尚、オートホワイトバランスは、ユーザーが複雑な操作を行う必要がないので、コンパクトカメラなどで広く用いられている。また、環境光が変動し易い動画を撮影するビデオカメラや通常のカメラで静止画撮影時のライブビュー画像などでも用いられているが、あらゆる状況の環境光を推定しなければならず、その推定精度は必ずしも完全なものではない。
【００２３】
（マニュアルホワイトバランス）
次に、マニュアルホワイトバランスでは、ユーザーが環境光情報（色温度情報など）の直接入力や環境光（白熱灯、蛍光灯、晴天、曇りなど）の種類を選択し、選択された環境光に応じて、環境光毎に予め保持しておいたホワイトバランスゲインを用いる。尚、環境光情報や環境光に対応するホワイトバランスゲインは予めメモリ１０９ａに記憶されている。尚、マニュアルホワイトバランスは、ユーザーが環境光の種類を選択したり、色温度などの環境光情報を入力することが可能であるが、必ずしも実際の環境光の特性に一致するとは限らず、精度の高いホワイトバランス調整を行うことは難しい。
【００２４】
（プリセットホワイトバランス）
次に、プリセットホワイトバランスでは、ユーザーが撮影前にグレー板などの無彩色の被写体を仮撮影し、仮撮影した画像データからホワイトバランスゲインを求め、求めたホワイトバランスゲインをメモリ１０９ａに保持しておき、撮影時の画像データに乗算してホワイトバランス調整を行う。尚、プリセットホワイトバランスは、ユーザーが撮影前に実際の環境光下で無彩色の被写体を仮撮影してホワイトバランスゲインを求めるので、精度の高いホワイトバランス調整を行うことができるが、環境光の状態が変化する状況では使用が難しい。
【００２５】
次に、画像処理回路１０７が行う画像処理の内容について説明する。画像処理の内容は、例えば、ディベイヤー処理（Ｒａｗ画像データのベイヤー配列のデータを画素単位でＲＧＢ形式の画像データに変換する処理），色補正処理（彩度などの色補正を行うマトリクス演算処理），ガンマ特性変換処理（階調特性を変換する処理），輪郭強調処理（エッジ強調などの演算処理），ＹＣｒＣｂ処理（ＲＧＢ形式の画像データを輝度・色差形式の画像データに変換する処理），Ｊｐｅｇ圧縮処理などである。尚、画像処理後の画像データは、撮影画像としてメモリカードなどの記憶媒体１１２に保存される。
【００２６】
尚、画像バッファ１０８は、画像処理回路１０７がホワイトバランス（ＷＢ）処理，ガンマ補正処理，輪郭強調処理および画像圧縮処理などを行う際のバッファメモリとして使用される。また、画像バッファ１０８は、ライブビュー画像を画像表示部１１１に表示する際のバッファメモリとしても使用される。或いは、画像バッファ１０８は、記憶媒体１１２に保存されている撮影済の画像データを画像伸長処理して画像表示部１１１に表示する際のバッファメモリとしても使用される。
【００２７】
制御部１０９は、操作部材１１４の各操作ボタンの操作情報に応じて電子カメラ１０１全体の動作を制御する。特に本実施形態では、画像処理回路１０７に対して、ライブビュー画像を表示する時と本撮影時のそれぞれのホワイトバランスゲインの設定や切り替えを行う。また、ストロボ制御部１１６を介してホットシュー１１７やシンクロターミナル１１８に接続されているストロボの制御を行う。尚、制御部１０９は、メモリ１０９ａに予め記憶されているプログラムコードに従って動作する。また、メモリ１０９ａには、制御部１０９が動作に必要なパラメータや電子カメラ１０１の撮影条件などが保存され、これらの撮影条件は設定メニューによって適宜変更される。
【００２８】
表示回路１１０は、画像処理回路１０７が画像バッファ１０８から読み出した表示用の画像データ（例えばライブビュー画像データ）を画像表示部１１１で表示できる信号に変換する。
【００２９】
画像表示部１１１は、例えば液晶モニタなどで構成され、制御部１０９および画像処理回路１０７の動作に応じて、ライブビュー画像や本撮影画像、或いは記憶媒体１１２に保存されている撮影済みの画像を表示する。  
【００３０】
記憶媒体１１２は、フラッシュメモリなどの不揮発性の半導体メモリで構成され、画像処理回路１０７が処理した撮影画像を保存する。
【００３１】
ＴＧ１１３は、制御部１０９の指令（例えば撮像素子１０５から読み出す画像の解像度など）に応じて、撮像素子１０５およびＡ／Ｄ変換部１０６の動作を制御するタイミング信号を出力する。
【００３２】
操作部材１１４は、先に説明したレリーズボタン１１４ａの以外に、電源ボタン、撮影モード選択ダイヤル、ホワイトバランス選択ボタン、カーソルボタンなどで構成される。ユーザーは、これらの操作ボタンやダイヤルを用いて電子カメラ１０１を操作し、これらの操作ボタンによる操作情報は制御部１０９に出力される。そして、制御部１０９は、操作部材１１４から入力する操作情報に応じて、電子カメラ１０１全体の動作を制御する。特に、本実施形態に係る電子カメラ１０１では、撮影モード選択ダイヤルで「通常撮影モード」以外に「スタジオ撮影モード」を選択できるようになっている。ここで、「スタジオ撮影モード」とは、ライブビュー画像を画像表示部１１１に表示する時のホワイトバランスゲインと、本撮影画像を撮影する時のホワイトバランスゲインとを別々に設定してホワイトバランス処理を行うことができる撮影モードである。従って、図１で説明したように、ライブビュー画像を画像表示部１１１に表示中のモデリングライトと、本撮影画像を撮影時のストロボ光との色温度の違いによる影響が少なくなり、撮影者は本撮影画像と同じ色合いの画像をライブビュー画像で確認することができる。
【００３３】
操作表示部１１５は、様々な設定を行うための表示部で小型の液晶モニタなどで構成される。例えば、ホワイトバランスモード選択メニューを表示して、オートホワイトバランスモード、マニュアルホワイトバランスモード、プリセットホワイトバランスモードなどを選択し、必要に応じて環境光の選択も行う。或いは、シャッタ速度や絞り値などの設定や感度設定などの設定メニューを表示して、操作部材１１４を用いて設定を行う。尚、コンパクトカメラなどと同様に、操作表示部１１５の代わりに画像表示部１１１に各種の設定メニューを表示するようにしても構わない。
【００３４】
ストロボ制御回路１１６は、制御部１０９の指令に応じて、ホットシュー１１７やシンクロターミナル１１８に接続されているストロボの動作を制御する。例えば、ホットシュー１１７にストロボが装着されている場合は、通信機能によってストロボの種類やガイドナンバーなどの情報をストロボから読み取って制御部１０９に出力したり、制御部１０９の指令に応じてストロボの発光量などを制御する。一方、シンクロターミナル１１８に接続されているストロボに対しては、操作部材１１４のレリーズボタン１１４ａの押下に同期した信号を制御部１０９から受け取り、これに応じてシンクロターミナル１１８に接続されているストロボをオンオフする。
【００３５】
［画像処理回路１０７のホワイトバランス処理］
次に、図２の画像処理回路１０７のホワイトバランス処理について詳しく説明する。図２は、画像処理回路１０７の機能ブロック図である。図２において、画像処理回路１０７は、ホワイトバランスゲイン乗算部３０１と、ホワイトバランス（ＷＢ）値設定部３０５と、オートホワイトバランス（ＡＷＢ）処理部３０３と、プリセットホワイトバランス（ＰＷＢ）処理部３０２と、マニュアルホワイトバランス（ＭＷＢ）処理部３０４と、ＭＷＢテーブル３０４ａと、第１のＷＢゲインメモリ３０６と、第２のＷＢゲインメモリ３０７と、ゲイン選択部３０８と、画像処理部３０９とで構成される。
【００３６】
ホワイトバランスゲイン乗算部３０１は、画像入力（画像バッファ１０８に取り込まれた画像データ）に対してゲイン選択部３０８が出力するホワイトバランスゲインを乗算してホワイトバランス調整を行う。ここで、ホワイトバランスゲインの乗算は、例えば、Ｒ（赤），Ｂ（青）の各チャンネル毎に求められたホワイトバランスゲイン（ｇａｉｎＲ，ｇａｉｎＢ）をＲＧＢの画像データに乗算するマトリクス演算によって行われる。ここで、ホワイトバランスゲインは、先に説明したホワイトバランスモードによって求め方が異なり、ＰＷＢ処理部３０２，ＡＷＢ処理部３０３およびＭＷＢ処理部３０４によってそれぞれ求められる。先ず、ＰＷＢ処理部３０２について説明する。
【００３７】
ＰＷＢ処理部３０２は、例えば、無彩色被写体を撮影したＲＧＢの画像データの平均値を求め、それぞれＲａ、Ｇａ、Ｂａとする。この時のホワイトバランスゲインＧａｉｎＲとＧａｉｎＢは（式１）および（式２）のように求められる。
【００３８】
ＧａｉｎＲ＝Ｇａ／Ｒａ・・・（式１）
ＧａｉｎＢ＝Ｇａ／Ｂａ・・・（式２）
（式１）および（式２）で求めたホワイトバランスゲインＧａｉｎＲおよびＧａｉｎＢがプリセットホワイトバランスゲインとなる。
【００３９】
ＡＷＢ処理部３０３は、撮影した被写体画像が必ずしも無彩色の被写体ではないので、適正なホワイトバランスゲインを求める様々な方法が検討されているが、例えば画像内の環境光や無彩色部分を推定して、推定した環境光の色温度を加味しながら推定した無彩色部分に対して上記のプリセットホワイトバランスと同様の処理を行うことによりオートホワイトバランスゲインが求められる。
【００４０】
ＭＷＢ処理部３０４は、ストロボ，白熱電球，蛍光灯，晴天，曇天など環境光毎に対応するホワイトバランスゲインのテーブル（ＭＷＢテーブル３０４ａ）を有しており、ユーザーが選択した環境光のホワイトバランスゲインをＭＷＢテーブル３０４ａから読み出す。或いは、色温度で設定するマニュアルホワイトバランスゲインの場合は、ＭＷＢ処理部３０４で、各色温度をホワイトバランスゲインに変換する処理を行ったり、ＭＷＢテーブル３０４ａに色温度をホワイトバランスゲインに変換する特性テーブルを予め記憶しておいてマニュアルホワイトバランスゲインを求める。尚、ＭＷＢテーブル３０４ａは、画像処理回路１０７内に専用のメモリを設けて記憶しておいても構わないし、メモリ１０９ａに記憶するようにして制御部１０９を介して読み出すようにしても構わない。
【００４１】
ＷＢ値設定部３０５は、ＰＷＢ処理部３０２が求めたプリセットホワイトバランスゲイン，ＡＷＢ処理部３０３が求めたオートホワイトバランスゲイン，ＭＷＢ処理部３０４が求めたホワイトバランスゲインのいずれかのホワイトバランスゲインを制御部１０９の指令に応じて、第１のＷＢゲインメモリ３０６や第２のＷＢゲインメモリ３０７にそれぞれ設定する。尚、第１のＷＢゲインメモリ３０６および第２のＷＢゲインメモリ３０７は、画像処理回路１０７内に専用のメモリを設けて記憶しておいても構わないし、メモリ１０９ａを利用して制御部１０９を介して読み書きするようにしても構わない。
【００４２】
ゲイン選択部３０８は、制御部１０９の指令に応じて、第１のＷＢゲインメモリ３０６または第２のＷＢゲインメモリ３０７にそれぞれ記憶されたホワイトバランスゲインのいずれか一方を選択して読み出し、ホワイトバランスゲイン乗算部３０１に与える。尚、ホワイトバランスゲインの選択については後で詳しく説明する。
【００４３】
画像処理部３０９は、先に説明したように、ホワイトバランス処理後の画像データに対して、色補正処理やガンマ特性変換処理，或いは輪郭強調処理や画像圧縮処理などを行って画像出力（画像バッファ１０８に処理後の画像データを書記憶）する。
【００４４】
このように、制御部１０９の指令に応じて選択されたホワイトバランスゲインを画像バッファ１０８に取り込まれたライブビュー画像や本撮影画像に対して適用することができる。特に、電子カメラ１０１の「スタジオ撮影モード」が選択された場合、制御部１０９はゲイン選択部３０８に指令して、ライブビュー画像を画像表示部１１１に表示する際に第１のＷＢゲインメモリ３０６に設定されているホワイトバランスゲインを読み出し、本撮影画像の撮影時には第２のＷＢゲインメモリ３０７に設定されているホワイトバランスゲインを読み出すよう制御する。
【００４５】
次に、ホワイトバランス設定メニューについて説明する。図４は、操作表示部１１５に表示されるホワイトバランス設定メニューの一例を示す図である。図４は、「スタジオ撮影モード」が選択されている時のホワイトバランス設定メニューの例を示している。図４に示した「スタジオ撮影モード」のホワイトバランス設定メニューの例では、ライブビュー画像用のホワイトバランス設定と、本撮影画像用のホワイトバランス設定とがそれぞれ設定できるようになっている。例えば、図４において、ライブビュー画像用のホワイトバランス設定窓４０１に操作部材１１４のカーソルボタンを当てると、ポップアップメニュー４０３が表示される。ポップアップメニュー４０３には、ＡＷＢとＰＷＢとＭＷＢの３つのホワイトバランスモードリストと、ＭＷＢの場合は環境光リストが表示され、ユーザはカーソルボタンでリスト中のいずれか選択し、操作部材１１４の確定ボタンを押下すると、選択された内容が設定窓４０１に表示される。同様に、本撮影画像用のホワイトバランス設定窓４０２に操作部材１１４のカーソルボタンを当てると、設定窓４０１の場合と同様にポップアップメニュー４０３が表示される。ユーザはカーソルボタンでポップアップメニュー４０３のリスト中のいずれか選択し、操作部材１１４の確定ボタンを押下すると、選択された内容が設定窓４０２に表示される。図４の例では、ライブビュー画像用のホワイトバランスはＡＷＢ（オートホワイトバランス）に設定され、本撮影画像用のホワイトバランスはＭＷＢ（マニュアルホワイトバランス）のストロボに設定されている。尚、ライブビュー画像用はオートホワイトバランスではなく、モデリングライトの種類に合わせたホワイトバランスをＭＷＢやＰＷＢで設定するようにしても構わない。
【００４６】
このようにして、「スタジオ撮影モード」におけるホワイトバランス設定を行うことができ、この設定内容に応じて制御部１０９は画像処理回路１０７に指令を出し、図３で説明したＷＢ値設定部３０５は第１のＷＢゲインメモリ３０６と第２のＷＢゲインメモリ３０７に設定内容に応じたホワイトバランスゲインが設定される。例えば、図４の設定内容の場合、ライブビュー画像用のホワイトバランスはＡＷＢに設定されているので、ＷＢ値設定部３０５はＡＷＢ処理部３０３が求めたホワイトバランスゲインを第１のＷＢゲインメモリ３０６に適宜設定する。尚、ライブビュー画像なので画像入力（画像バッファ１０８）にリアルタイムで画像データが取り込まれる毎にＡＷＢ処理部３０３はホワイトバランスゲインを求め、ＷＢ値設定部３０５は第１のＷＢゲインメモリ３０６に設定するホワイトバランスゲインを更新する。一方、図４では、本撮影画像用のホワイトバランスはＭＷＢのストロボに設定されているので、ＷＢ値設定部３０５はＭＷＢ処理部３０４がＭＷＢテーブル３０４ａに基づいて求めたホワイトバランスゲインを第２のＷＢゲインメモリ３０７に設定する。
【００４７】
そして、ユーザが操作部材１１４のレリーズボタン１１４ａを押下すると、制御部１０９は画像処理回路１０７に指令を出して、図３のゲイン選択部３０８によってホワイトバランスゲイン乗算部３０１に与えるホワイトバランスゲインを切り替える。具体的には、ゲイン選択部３０８は、ライブビュー画像用のホワイトバランスゲインを保持している第１のＷＢゲインメモリ３０６から本撮影画像用のホワイトバランスゲインを保持している第２のＷＢゲインメモリ３０７に切り替えて、ホワイトバランスゲイン乗算部３０１に出力する。
【００４８】
このようにして、ライブビュー画像を画像表示部１１１に表示している時のホワイトバランスゲインと、本撮影画像を撮影した時のホワイトバランスゲインとをそれぞれ任意に設定して、ライブビュー表示時と本撮影時で切り替えることにより、それぞれの画像に適したホワイトバランス処理を行うことができる。この結果、撮影者は、スタジオ撮影においてモデリングライトで被写体を確認している時に画像表示部１１１に表示されるライブビュー画像の色合いと、ストロボを用いて本撮影した静止画像の色合いとの差が軽減され、違和感なく撮影することができる。
【００４９】
［「スタジオ撮影モード」での撮影処理］
次に、電子カメラ１０１における「スタジオ撮影モード」での撮影処理について図５のフローチャートを用いて詳しく説明する。尚、図５に示すフローチャートの処理は、ユーザーが「スタジオ撮影モード」を選択した時の撮影処理で、基本的な処理はメモリ１０９ａに予め記憶されたプログラムに従って制御部１０９が行う処理である。
【００５０】
（ステップＳ１０１）ユーザーは、操作部材１１４の電源ボタンを操作して電子カメラ１０１の電源をＯＮする。
【００５１】
（ステップＳ１０２）電源がＯＮされると、制御部１０９は、電子カメラ１０１の起動処理を開始し、デフォルトの撮影モードや撮影条件などの初期設定を行う。尚、本説明では、デフォルトの撮影モードが「スタジオ撮影モード」に設定されているものとする。
【００５２】
（ステップＳ１０３）制御部１０９は、撮影準備ができたか否かを判別し、撮影準備が完了するまで待つ。尚、撮影準備とは、例えばホワイトバランス設定やライブビューの起動設定である。
【００５３】
ホワイトバランス設定は、図４で説明したように、ホワイトバランス設定メニューで、例えばライブビュー画像用のホワイトバランス設定をＡＷＢに、本撮影画像用のホワイトバランス設定をＭＷＢのストロボに設定する。或いは、ステップＳ１０２で図４のようにデフォルト設定するようにしても構わない。従って、この時点で、図３の第１のＷＢゲインメモリ３０６にはＡＷＢ処理部３０３が求めたホワイトバランスゲインが設定され、第２のＷＢゲインメモリ３０７にはＭＷＢ処理部３０４がＭＷＢテーブル３０４ａに基づいて求めたホワイトバランスゲインが設定される。尚、厳密にはライブビューが起動された時点で、ＡＷＢ処理部３０３は画像バッファ１０８に取り込まれたライブビュー画像を用いてホワイトバランスゲインを求め、第１のＷＢゲインメモリ３０６にライブビュー画像用のホワイトバランスゲインを設定する。
【００５４】
また、ライブビューの起動については、通常のコンパクトカメラでは、電源ＯＮ後に自動的にライブビュー表示になる場合が多いが、通常の一眼レフカメラでは、電源ＯＮ時は図２のミラー１０３が下げられた状態で撮影光学系１０２から入射する被写体光はファインダ１０３ａに投影されるようになっている。従って、メカニカルシャッタ１０４も閉じられて、撮像素子１０５でライブビュー画像を撮影することができない。そこで、ユーザが操作部材１１４を操作してライブビューの起動を行う必要がある。これがライブビューの起動である。
【００５５】
（ステップＳ１０４）ライブビューが起動されると、図２のミラー１０３は跳ね上げられ且つメカニカルシャッタ１０４も開けられた状態になり、撮影光学系１０２から入射する被写体光はメカニカルシャッタ１０４を介して撮像素子１０５への投影が開始される。
【００５６】
（ステップＳ１０５）制御部１０９は、画像処理回路１０７のゲイン選択部３０８に指令して、ライブビュー用のホワイトバランスゲイン（第１のＷＢゲインメモリ３０６に設定されているホワイトバランスゲイン）を選択し、ホワイトバランスゲイン乗算部３０１に出力する。
【００５７】
（ステップＳ１０６）制御部１０９は、撮像素子１０５で撮影された電気信号をＡ／Ｄ変換部１０６でデジタルの画像データに変換し、画像処理回路１０７を介して画像バッファ１０８に取り込む。
【００５８】
（ステップＳ１０７）制御部１０９は、画像処理回路１０７のホワイトバランスゲイン乗算部３０１に指令して、ゲイン選択部３０８から与えられるホワイトバランスゲインを画像バッファ１０８に取り込まれたライブビュー画像データに乗算させる。尚、この後、画像処理部３０９によって所定の画像処理を行って再び画像バッファ１０８に記憶する。
【００５９】
（ステップＳ１０８）制御部１０９は、画像処理回路１０７および表示回路１１０に指令して、ホワイトバランス処理および画像処理を行ったライブビュー画像を画像バッファ１０８から読み出して画像表示部１１１に表示する（ライブビュー表示）。
【００６０】
（ステップＳ１０９）制御部１０９は、操作部材１１４のレリーズボタン１１４ａが押下されたか否かを判別する。レリーズボタン１１４ａが押下された場合はステップＳ１１０に進み、レリーズボタン１１４ａが押下されていない場合はステップＳ１０６に戻って一連のライブビュー画像の表示処理を繰り返し行う。
【００６１】
（ステップＳ１１０）レリーズボタン１１４ａが押下された場合、制御部１０９は、ライブビューを終了する。具体的には、制御部１０９は、図２のミラー１０３を一旦下げてメカニカルシャッタ１０４を閉じた状態にする。
【００６２】
（ステップＳ１１１）制御部１０９は、本撮影を行う。具体的には、制御部１０９は、図２のミラー１０３を跳ね上げてメカニカルシャッタ１０４を所定のシャッタ速度で開閉し、撮像素子１０５に投影された被写体画像に応じた電気信号に変換し、Ａ／Ｄ変換部１０６および画像処理回路１０７を介して画像バッファ１０８に取り込まれる。尚、メカニカルシャッタ１０４の開閉タイミングに同期させて、ホットシュー１１７またはシンクロターミナル１１８のＸ接点をＯＮする。図１の場合は、シンクロターミナル１１８のＸ接点がＯＮされて、ケーブル２０５を介して接続されているストロボ２０３ｂおよび２０４ｂから閃光を発する。
【００６３】
（ステップＳ１１２）制御部１０９は、画像処理回路１０７のゲイン選択部３０８に指令して、本撮影画像用のホワイトバランスゲイン（第２のＷＢゲインメモリ３０７に設定されているホワイトバランスゲイン）を選択し、ホワイトバランスゲイン乗算部３０１に出力する。
【００６４】
（ステップＳ１１３）制御部１０９は、画像処理回路１０７のホワイトバランスゲイン乗算部３０１に指令して、ゲイン選択部３０８から与えられるホワイトバランスゲインをステップＳ１１１で画像バッファ１０８に取り込まれた本撮影画像データに乗算させる。尚、この後、画像処理部３０９によって所定の画像処理を行って再び画像バッファ１０８に一時的に記憶する。
【００６５】
（ステップＳ１１４）制御部１０９は、画像処理回路１０７に指令して、画像バッファ１０８に一時的に記憶されたステップＳ１１３で処理後の画像データを記憶媒体１１２に最終的な本撮影画像として記録する。
【００６６】
（ステップＳ１１５）制御部１０９は、一連の「スタジオ撮影モード」での撮影処理を終了する。
【００６７】
このようにして、本実施形態に係る電子カメラ１０１は、ライブビュー画像を画像表示部１１１に表示している時のホワイトバランスゲインと、本撮影画像を撮影した時のホワイトバランスゲインとを切り替えることができ、それぞれの画像に適したホワイトバランス処理を行うことができる。この結果、ライブビュー表示中の色温度と本撮影画像の色温度とを個別に設定および制御できるので、ライブビュー表示でピントや構図の確認を行う際には例えばオートホワイトバランスによって最適な色で表示し、ストロボによる本撮影時には使用するストロボに最適な色温度で撮影することができるので、利便性を向上することができる。
【００６８】
［上記実施形態の変形例］
上記の実施形態に係る電子カメラ１０１では、図４に示したように、ライブビュー画像用のホワイトバランスゲインと、本撮影画像用のホワイトバランスゲインとの２つのホワイトバランスゲインを設定するための専用のホワイトバランス設定メニューを設ける必要があった。これに対して、本変形例では、図６に示した通常の電子カメラのホワイトバランス設定メニューのように、１つのホワイトバランスを設定する設定窓４０４しか備えていない場合の電子カメラ１０１ａにも適用することができる。尚、この変形例の電子カメラ１０１ａも上記実施形態で説明した電子カメラ１０１と同じ構成で実現し、図２および図３のブロック図も全く同じで、異なるのは図６のホワイトバランス設定メニューのみである。
【００６９】
本変形例では、図６のホワイトバランス設定メニューで設定したホワイトバランスは図４の本撮影画像用のホワイトバランス設定に対応し、設定されたホワイトバランスモードに応じて第２のＷＢゲインメモリ３０７にホワイトバランスゲインが設定される。そして、ライブビュー画像用のホワイトバランス設定については、予め設定した所定のホワイトバランス処理（例えばＡＷＢ処理）に固定して行われ、求められたライブビュー画像用のホワイトバランスゲインは第１のＷＢゲインメモリ３０６に自動的に設定される。尚、ホワイトバランス設定以外の処理は、先に説明した実施形態と同様に行われ、例えばレリーズボタン１１４ａが押下された時の制御部１０９の指令に応じて、ゲイン選択部３０８は第１のＷＢゲインメモリ３０６から第２のＷＢゲインメモリ３０７に切り替えてホワイトバランスゲイン乗算部３０１に与える。
【００７０】
このように、本変形例に係る電子カメラ１０１ａは、ライブビュー画像を画像表示部１１１に表示している時のホワイトバランスゲインと、本撮影画像を撮影した時のホワイトバランスゲインとを切り替えることができ、それぞれの画像に適したホワイトバランス処理を行うことができる。この結果、撮影者は、スタジオ撮影においてモデリングライトで被写体を確認している時に画像表示部１１１に表示されるライブビュー画像の色合いと、ストロボを用いて本撮影した静止画像の色合いとの差が軽減され、撮影者は、正しい色再現でライブビュー表示中の被写体を確認することができる。
【００７１】
尚、上記の各実施形態において、スタジオ撮影を例に挙げたが、動画撮影中に静止画撮影を行うことができるビデオカメラなどにも適用することができる。この場合は、上記の説明の中でライブビュー画像としている部分を動画像に読み替えればよく、例えば図４のホワイトバランス設定メニューでは、ライブビュー画像に代えて動画像のホワイトバランスと、本撮影画像に代えて静止画像のホワイトバランスをそれぞれ設定すればよい。
【００７２】
以上、本発明に係る電子カメラについて、各実施形態で例を挙げて説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００７３】
１０１・・・電子カメラ；１０２・・・撮影光学系；１０３ａ・・・ファインダ；１０３・・・ミラー；１０４・・・メカニカルシャッタ；１０５・・・撮像素子；１０６・・・Ａ／Ｄ変換部；１０７・・・画像処理回路；１０８・・・画像バッファ；１０９・・・制御部；１１０・・・表示回路；１１１・・・画像表示部；１１２・・・記憶媒体；１１３・・・ＴＧ；１１４・・・操作部材；１１４ａ・・・レリーズボタン；１１５・・・操作表示部；１１６・・・ストロボ制御回路；１１７・・・ホットシュー；１１８・・・シンクロターミナル；２０１・・・三脚；２０２・・・被写体；２０３，２０４・・・ランプハウス；２０３ａ，２０４ａ・・・モデリングライト；２０３ｂ，２０４ｂ・・・ストロボ；３０１・・・ホワイトバランスゲイン乗算部；３０２・・・ＰＷＢ処理部；３０３・・・ＡＷＢ処理部；３０４・・・ＭＷＢ処理部；３０４ａ・・・ＭＷＢテーブル；３０５・・・ＷＢ値設定部；３０６・・・第１のＷＢゲインメモリ；３０７・・・第２のＷＢゲインメモリ；３０８・・・ゲイン選択部；３０９・・・画像処理部；４０１，４０２，４０４・・・設定窓；４０３・・・ポップアップメニュー
【図１】
2011015199.tif 000003
【図２】
2011015199.tif 000004
【図３】
2011015199.tif 000005
【図４】
2011015199.tif 000006
【図５】
2011015199.tif 000007
【図６】
2011015199.tif 000008